(57)【要約】      （修正有）【課題】第一板体と第二板体を結合して複合式の板体を組成し、第二板体を利用してヘッド本体と結合することにより、溶接の相容性と構造強度を高めることができる。【解決手段】ヘッド本体１、第一板体２１および第二板体２２により構成される。ヘッド本体１には正面が形成される。第一板体２１には打球正面２１１と結合背面２１２が形成される。第二板体２２には結合正面２２１と当接背面２２２が形成され、結合正面２２１が第一板体２１の結合背面２１２に対応するように結合されることによってフェース板２を組成する。第二板体２２がヘッド本体１に相対するヒール部ｂの一端から折り曲げて延伸するように突出接合部２３が形成され、突出接合部２３と当接背面２２２がヘッド本体１の正面と結合することにより、共同でゴルフクラブヘッドを形成するように構成されている。【選択図】図２
0003120522.tif 000002
【実用新案登録請求の範囲】
【請求項１】
ヘッド本体（１）、第一板体（２１）、第二板体（２２）および突出接合部（２３）により構成される複合式フェース板のゴルフクラブヘッドであって、ヘッド本体（１）には正面、トー部（ａ）とヒール部（ｂ）が形成され、トー部（ａ）とヒール部（ｂ）はそれぞれ上記正面の両側に位置され、上記ヘッド本体（１）の正面には開口（１０）が形成され、第一板体（２１）には打球正面（２１１）と結合背面（２１２）が形成され、第二板体（２２）の材質は第一板体（２１）の材質とは異なり、そして第二板体（２２）には結合正面（２２１）と当接背面（２２２）が形成され、結合正面（２２１）が第一板体（２１）の結合背面（２１２）に結合されることによってフェース板（２）を組成し、突出接合部（２３）は第二板体（２２）がヘッド本体（１）に相対するヒール部（ｂ）の一端に延伸するように形成され、第二板体（２２）の当接背面（２２２）と突出接合部（２３）がヘッド本体（１）の正面と結合することにより、ゴルフクラブヘッドを形成することを特徴とする複合式フェース板のゴルフクラブヘッド。
【請求項２】
突出接合部（２３）は第二板体（２２）の一端から折り曲げてなることを特徴とする請求項１記載の複合式フェース板のゴルフクラブヘッド。
【請求項３】
ヘッド本体（１）には当接部（１１）が形成され、当接部（１１）は開口（１０）の外周縁に環設され、当接部（１１）は第二板体（２２）の当接背面（２２２）と当接するのに用いられることを特徴とする請求項１記載の複合式フェース板のゴルフクラブヘッド。
【請求項４】
ヘッド本体（１）には他にホーゼル（１３）と当接壁（１２）が形成され、ホーゼル（１３）はヘッド本体（１）がヒール部（ｂ）に近い側に伸出するように形成され、当接壁（１２）は開口（１０）がヒール部（ｂ）に隣接する側に設置され、当接壁（１２）は突出接合部（２３）の一方と当接するのに用いられることを特徴とする請求項３記載の複合式フェース板のゴルフクラブヘッド。
【請求項５】
第一板体（２１）は高弾性の変形能力を有する板体から選択することを特徴とする請求項１記載の複合式フェース板のゴルフクラブヘッド。
【請求項６】
第二板体（２２）は高い振動吸収の能力を有する板体から選択することを特徴とする請求項１記載の複合式フェース板のゴルフクラブヘッド。
【請求項７】
第二板体（２２）の突出接合部（２３）の底部には肩部（２４）が形成されることを特徴とする請求項１記載の複合式フェース板のゴルフクラブヘッド。
【請求項８】
第二板体（２２）の肉厚は第一板体（２１）の肉厚より大きくなるように形成されることを特徴とする請求項７記載の複合式フェース板のゴルフクラブヘッド。
【請求項９】
第一板体（２１）と第二板体（２２）との間には爆発溶接層が形成されることを特徴とする請求項１記載の複合式フェース板のゴルフクラブヘッド。
【請求項１０】
第一板体（２１）と第二板体（２２）との間にはロール層が形成されることを特徴とする請求項１記載の複合式フェース板のゴルフクラブヘッド。
【考案の詳細な説明】
【技術分野】
【０００１】
本考案は、複合式フェース板のゴルフクラブヘッドに関するもので、特に第一板体と第二板体を結合して複合式の板体を組成し、第二板体を利用してヘッド本体と結合することにより、溶接の相容性と構造強度を高める複合式フェース板のゴルフクラブヘッドに係るものである。
【背景技術】
【０００２】
従来の複合式フェース板を有するゴルフクラブヘッドとしては、その接合方法には下記の段階が含まれる。ａ）異なる金属材質の第一板材と第二板材を爆発溶接によって合成板材と結合し、それから上記合成板材を一般の殻片状の第一部材として成形させ、上記第一部材の形状はヘッドの正面のフェース板に対応するように形成され、さらに上記第一板材は上記第一部材が上記ヘッドに比較的に近い側に位置合わせるように形成される段階と、ｂ）上記合成板材が上記第一部材として成形した時、上記第二板材の中央部位を除去して上記第二板材の周縁の部位だけを残すことにより、上記第二部材が溶接して結合するのに用いることができる段階と、ｃ）他に上記第二部材を製造し、上記第二部材の形状は上記ヘッドの主体部分に対応するように形成されるため、上記第一部材と互いに配合することができ、上記第二部材の材質は上記第二板材とは同じで、さらに上記第一部材を上記第二部材に近寄らせて上記第二板材の周縁を上記第二部材に当接させ、それから溶接によって上記第二部材を上記第一部材の第二板材と結合することにより、ゴルフクラブヘッドを接合するようにとしたものがある（例えば、特許文献１を参照）。
【特許文献１】中華民国第５５０１０６号公報
【考案の開示】
【考案が解決しようとする課題】
【０００３】
上記のような従来の複合式のフェース板を有するゴルフクラブヘッドにおいては、実際に打球する時、上述した複合式フェース板のゴルフクラブヘッドの第一部材の第一板材の中央部位（すなわち、打球のスイートスポット）は比較的大きい打球の応力と衝撃力を受けるが、上記第一板材の中央部位の背面には第二板材を有しないため、さらに上記第一板材の中央部位の背面は上記第一板材そのものの肉厚とは実質的に同じで、上記第一部材の中央部位では充分な構造強度を提供することができないため、長期に渡って使用すると、上記第一板材には変形または破裂が生じてしまうかもしれず、さらに打球の振動を有効に吸収することができないため、使用寿命が相対的に短くなる。また、上記第一板材はただ背面の周縁から上記第二板材と結合することにより、両者の間の結合面積は極めて限られるため、上記第一板材が脱落し易くなるという問題点があった。そのため、上述した複合式フェース板のゴルフクラブヘッドをさらに改良しなければならない。
【０００４】
本考案はこのような問題点に鑑みて考案したものであって、その目的とするところは、第一板体と第二板体を結合してフェース板を形成し、そして第二板体がヘッド本体に相対するヒール部の一端から折り曲げて延伸するように突出接合部が形成され、第二板体をヘッド本体と結合させ、ヘッド本体と第二板体は選択的に溶接の相容性が比較的よい材質により製成することにより、ヘッド本体とフェース板との間の結合の信頼性を相対的に高めることができる。第一板体はフェース板の弾性変形の自由度を相対的に高めるのに用いられ、第二板体は振動吸収の能力と打球のスイートスポット（sweet spot）の構造強度を相対的に高めるのに用いられるため、ゴルフクラブヘッドの打球の安定性と耐久性をさらに高めることができる複合式フェース板のゴルフクラブヘッドを提供しようとするものである。
【０００５】
本考案の第一の目的は、第一板体と第二板体を結合してフェース板とし、そして上記第二板体の一端から折り曲げて延伸するように突出接合部が形成されるため、結合の信頼性を高めることができる複合式フェース板のゴルフクラブヘッドを提供しようとするものである。
【０００６】
本考案の第二の目的は、第一板体と第二板体を結合してフェース板とし、そして上記第一板体は比較的よい弾性変形の能力を有するように形成され、さらに上記第二板体は比較的よい振動吸収の能力を有するように形成されるため、弾性変形の能力と振動吸収の能力を同時に高めることができる複合式フェース板のゴルフクラブヘッドを提供しようとするものである。
【０００７】
本考案の第三の目的は、第一板体と第二板体を結合してフェース板とし、そして上記第二板体とヘッド本体は比較的よい溶接の相容性を有するように形成されるため、結合の信頼性を高めることができる複合式フェース板のゴルフクラブヘッドを提供しようとするものである。
【０００８】
上記目的を達成するために、本考案による複合式フェース板のゴルフクラブヘッドは、下記のようになるものである。すなわち、
ヘッド本体、第一板体、第二板体および突出接合部により構成される。ヘッド本体には正面、トー部とヒール部が形成され、トー部とヒール部はそれぞれ上記正面の両側に位置され、上記ヘッド本体の正面には開口が形成される。第一板体には打球正面と結合背面が形成される。第二板体の材質は第一板体の材質とは異なり、そして第二板体には結合正面と当接背面が形成され、結合正面が第一板体の結合背面に結合されることによってフェース板を組成する。突出接合部は第二板体がヘッド本体に相対するヒール部の一端に延伸するように形成され、第二板体の当接背面と突出接合部がヘッド本体の正面と結合することにより、ゴルフクラブヘッドを形成する。
【０００９】
本考案による複合式フェース板のゴルフクラブヘッドは、突出接合部は第二板体の一端から折り曲げてなることもできる。また、ヘッド本体には当接部が形成され、当接部は開口の外周縁に環設され、当接部は第二板体の当接背面と当接するのに用いられることもできる。また、ヘッド本体には他にホーゼルと当接壁が形成され、ホーゼルはヘッド本体がヒール部に近い側に伸出するように形成され、当接壁は開口がヒール部に隣接する側に設置され、当接壁は突出接合部の一方と当接するのに用いられることもできる。また、第一板体は高弾性の変形能力を有する板体から選択することもできる。また、第二板体は高い振動吸収の能力を有する板体から選択することもできる。また、第二板体の突出接合部の底部には肩部が形成されることもできる。また、第二板体の肉厚は第一板体の肉厚より大きくなるように形成されることもできる。また、第一板体と第二板体との間には爆発溶接層が形成されることもできる。また、第一板体と第二板体との間にはロール層が形成されることもできる。
【考案の効果】
【００１０】
本考案の複合式フェース板のゴルフクラブヘッドによれば、第一板体と第二板体を結合してフェース板とし、そして上記第二板体の一端から折り曲げて延伸するように突出接合部が形成されるため、結合の信頼性を高めることができるという利点がある。
【００１１】
本考案の複合式フェース板のゴルフクラブヘッドによれば、第一板体と第二板体を結合してフェース板とし、そして上記第一板体は比較的よい弾性変形の能力を有するように形成され、さらに上記第二板体は比較的よい振動吸収の能力を有するように形成されるため、弾性変形の能力と振動吸収の能力を同時に高めることができるという利点がある。
【００１２】
本考案の複合式フェース板のゴルフクラブヘッドによれば、第一板体と第二板体を結合してフェース板とし、そして上記第二板体とヘッド本体は比較的よい溶接の相容性を有するように形成されるため、結合の信頼性を高めることができるという利点がある。
【考案を実施するための最良の形態】
【００１３】
本考案の実施の形態について、以下、図面を参照して説明する。
【実施例１】
【００１４】
図１、２を参照すると、本考案の実施例１の複合式フェース板のゴルフクラブヘッドはウッド型、アイアン型またはパター型などの従来のヘッドの構造から選択することができる。本考案の実施例１においてはアイアン型のヘッドを例に挙げ、アイアン型のヘッドにはヘッド本体１とフェース板２が含まれる。フェース板２は第一板体２１と第二板体２２を結合してなるものである。第一板体２１はフェース板２の打球面に位置され、第二板体２２はヘッド本体１の正面に対応するように結合される。
【００１５】
再び図１、２を参照すると、本考案の実施例１のヘッド本体１の材質は炭素鋼、ステンレス鋼（例えば１７−４ＰＨステンレス鋼）、合金鋼、フェロ−マンガン−アルミ合金、ニッケル合金、鋳鉄、超合金鋼、チタン合金、アルミ合金または銅合金などの金属から選択することができる。ヘッド本体１には開口１０、当接部１１、当接壁１２とホーゼル１３が設けられ、そして相対的にトー部ａ、ヒール部ｂ、クラウン部ｃとソール部ｄなどの前、後、上または下の相対する位置が形成される。開口１０はヘッド本体１の正面に設けられる。当接部１１は開口１０の外周縁に環設され、そして当接壁１２は開口１０がヒール部ｂに隣接する側に形成される。当接部１１と当接壁１２によって同時に対応するように第二板体２２と結合することができる。ホーゼル１３はヘッド本体１がヒール部ｂに近い側に伸出するように設けられることにより、シャフト（図示せず）と結合することができる。
【００１６】
再び図１、２を参照すると、本考案の実施例１の第一板体２１は高弾性の変形能力を有する材質から選択することができ、例えばステンレス鋼、炭素鋼、フェロ−マンガン−アルミ合金、アルミ合金、銅合金またはチタン合金などの金属材質から選択することができる。第一板体２１には打球正面２１１、結合背面２１２と結合側面２１３が形成される。打球正面２１１は打球するのに用いられ、結合背面２１２と結合側面２１３は同時に第二板体２２を結合するのに用いられる。
【００１７】
再び図１、２を参照すると、本考案の実施例１の第二板体２２は高い振動吸収の能力を有する材質から選択することができ、例えば炭素鋼、ステンレス鋼（例えば１７−４ＰＨステンレス鋼）、合金鋼、ニッケル合金、鋳鉄、アルミ合金、マグネシウム合金、銅合金または超合金鋼などの金属材質から選択することができる。第二板体２２には結合正面２２１、当接背面２２２と突出接合部２３が形成される。当接背面２２２はヘッド本体１の当接部１１と当接するのに用いられる。突出接合部２３は第二板体２２の片側からプレスにより折り曲げてなるものである。突出接合部２３には第一側２３１と第二側２３２が形成され、第一側２３１と第二側２３２は突出接合部２３の両側に形成され、第一側２３１は結合正面２２１に隣接するように形成され、さらに第二側２３２はヘッド本体１の当接壁１２と結合するのに用いられる。その他に、第二板体２２は好ましくは第一板体２１の材質と異なるように形成され、さらに第二板体２２の材質とヘッド本体１の材質との間は好ましくは比較的高い溶接の相容性を有する同質の材質から選択することにより、ヘッド本体１とフェース板２との間の組立の信頼性を相対的に高めることができ、特に溶接の信頼性を高めることができる。また、結合正面２２１と突出接合部２３の第一側２３１はそれぞれ対応するように第一板体２１の結合背面２１２および結合側面２１３と結合することができる。
【００１８】
再び図１、２を参照すると、本考案の実施例１において複合式フェース板のゴルフクラブヘッドを組み立てようとする時、先ず第一板体２１の結合背面２１２と結合側面２１３を第二板体２２の結合正面２２１と突出接合部２３の第一側２３１に対応するように結合させ、そして第一板体２１と第二板体２２は好ましくは選択的に爆発溶接、ロール、粘着または上記組合せなどの方式を利用して相互に結合させることができる。爆発溶接またはロールによる結合方式を選択した場合、第一板体２１と第二板体２２との対応する結合面の間には一体成形になるように一層の爆発溶接層またはロール層が結合される。そして、粘着の方式を選択した場合、第一板体２１と第二板体２２との対応する結合面の間には塗布された粘着剤によって一層の粘着層が形成される。これにより、第一板体２１と第二板体２２は共同でフェース板２を形成する。それから、第二板体２２の当接背面２２２と突出接合部２３の第二側２３２をそれぞれ予め組み立ててヘッド本体１の正面の当接部１１と当接壁１２に結合させる。それから、第二板体２２とヘッド本体１は好ましくは選択的にタングステンイナートガスアーク熔接、レーザービーム熔接、電子ビーム溶接またはプラズマアーク熔接などの結合方式を利用することができ、しかし選択的に硬ろう付け、貼接、嵌設または螺着などのその他の結合方式を利用することもできる。これにより、ヘッド本体１とフェース板２は共同でゴルフクラブヘッド（図示せず）を形成する。
【００１９】
再び図１、２を参照すると、本考案の実施例１においてフェース板２は複合式のフェース板からなり、そして第二板体２２はフェース板２の中央部位（打球のスイートスポットsweet spot）の構造強度を高めるのに用いられ、さらに第二板体２２により打球の応力を均一に分散することができるため、フェース板２の構造強度と使用寿命を相対的に高めることができる。また、第二板体２２とヘッド本体１は選択的に同じ材質または比較的よい溶接の相容性を有する材質からなるため、組立の信頼性を相対的に高めることができる。その他に、第一板体２１は高弾性の変形能力を有する材質から選択し、そして第二板体２２は高い振動吸収の能力を有する材質から選択することにより、フェース板２の弾性変形の能力と振動吸収の能力を同時に高めることができる。
【実施例２】
【００２０】
図３、３ａを参照すると、本考案の実施例２の複合式フェース板のゴルフクラブヘッドが掲示される。本考案の実施例２においてはアイアン型のヘッドを例に挙げる。実施例１と比較してみると、実施例２において第一板体２１と第二板体２２を対応するように結合させてフェース板２に形成された後、フェース板２の一端において垂直プレスの方式を利用して突出接合部２３’と肩部２４を形成させ、突出接合部２３’はフェース板２の前方へ向かって突出するように形成されることにより、第一板体２１がヒール部ｂに相対する一部分も対応するように前方へ突出するように形成され（図示せず）、肩部２４は対応するように突出接合部２３’の背面において凹むように設けられる。それから、フライス削りまたは研磨などの方式を利用して第一板体２１が前方へ突出した部分を除去することにより、第一板体２１の打球正面２１１と突出接合部２３’は平面の構造に形成され、さらに突出接合部２３’の肉厚は第一板体２２の元の肉厚とは実質的に接近している。これにより、第一板体２１の結合側面２１２と第二板体２２の突出接合部２３’との間の結合強度を高めることができ、さらにフェース板２の結合の信頼性を有効に高めることができる。その他に、第二板体２２の肉厚は相対的に第一板体２１の肉厚より大きくなるように形成されるため、突出接合部２３’と肩部２４の構造をプレスで形成するのに役立つことができ、さらにプレスの歩留りを高めることができる。
【００２１】
再び図３、３ａを参照すると、ヘッド本体１とフェース板２を相互に組み立てる時、第一板体２１の当接部１１は階段状で、当接部１１とヘッド本体１の当接壁１２は環設するようにフェース板２が嵌入するための嵌合空間（図示せず）が形成されるため、第二板体２２の当接背面２２２と突出接合部２３’の第二側２３２はそれぞれヘッド本体１の正面の当接部１１と当接壁１２に結合される。ヘッド本体１と第二板体２２との間は比較的よい溶接の相容性を有するため、ヘッド本体１とフェース板２との組立の信頼性を相対的に高めることができ、特に溶接の信頼性を高めることができる。
【産業上の利用可能性】
【００２２】
上述の如く、従来の複合式フェース板のゴルフクラブヘッドによれば、ただ第一板材の背面の周縁の部位において第二板材を結合することにより、フェース板の中央部位の構造強度が低くなり、さらに第一板材と第二板材との間には極めて限られた結合面積しか有しないという問題点があったが、図１に示す本考案の複合式フェース板のゴルフクラブヘッドによれば、第一板体２１と第二板体２２を結合することによってフェース板２を形成し、さらに突出接合部２３は第二板体２２がヘッド本体１に相対するヒール部ｂの一端に延伸するように形成され、そして第二板体２２の当接背面２２２と突出接合部２３はヘッド本体１の当接部１１と当接壁１２に結合されることにより、ヘッド本体１と第二板体２２は比較的よい溶接の相容性を有するため、ヘッド本体１とフェース板２との間の結合の信頼性を高めることができる。
【００２３】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２４】
【図１】本考案の実施例１の複合式フェース板のゴルフクラブヘッドの分解斜視図である。
【図２】本考案の実施例１の複合式フェース板のゴルフクラブヘッドによる組み立てられた状態を示す断面図である。
【図３】本考案の実施例２の複合式フェース板のゴルフクラブヘッドの分解斜視図である。
【図３ａ】図３の符号IIIａで示す部分の拡大図である。
【符号の説明】
【００２５】
１    ヘッド本体                    １０    開口
１１    当接部                        １２    当接壁
１３    ホーゼル                        ２    フェース板
２１    第一板体                    ２１１    打球正面
２１２    結合背面                    ２１３    結合側面
２２    第二板体                    ２２１    結合正面
２２２    当接背面                      ２３    突出接合部
２３’  突出接合部                  ２３１    第一側
２３２    第二側                        ２４    肩部
ａ    トー部                          ｂ    ヒール部
ｃ    クラウン部                      ｄ    ソール部
【図１】
0003120522.tif 000003
【図２】
0003120522.tif 000004
【図３】
0003120522.tif 000005
【図３ａ】
0003120522.tif 000006